(57)【要約】【課題】下枠端部付近において耐火の構造を設けたシャッターを提供する。【解決手段】上枠１０と下枠１１及び左右の縦枠１２，１２を枠組みしてなる枠体１を有し、上枠１０は扉体３を支持すると共に巻き上げて収納自在なシャッターボックス２を有し、扉体３は下端部に幅木部材２３を有し、下枠１１は幅木部材２３の下端部を収納自在な凹部１１ｃを長手方向に沿って有し、凹部１１ｃの見付方向端部に加熱発泡材２５が配置され、幅木部材２３には長手方向に沿って凹部１１ｃに対向する加熱発泡材２７が配置され、凹部１１ｃに配置される加熱発泡材２５の一端部は、少なくとも幅木部材２３に配置される加熱発泡材２５の端部と対向する。【選択図】図３
2015068022.tif 000002
【特許請求の範囲】
【請求項１】
上枠と下枠及び左右の縦枠を枠組みしてなる枠体を有し、前記上枠は扉体を支持すると共に巻き上げて収納自在なシャッターボックスを有するシャッターにおいて、
前記扉体は下端部に幅木部材を有し、前記下枠は前記幅木部材の下端部を収納自在な凹部を長手方向に沿って有し、該凹部の見付方向端部に加熱発泡材が配置されてなることを特徴とするシャッター。
【請求項２】
前記幅木部材には長手方向に沿って前記凹部に対向する加熱発泡材が配置され、前記凹部に配置される加熱発泡材の一端部は、少なくとも前記幅木部材に配置される加熱発泡材の端部と対向することを特徴とする請求項１記載のシャッター。
【請求項３】
前記凹部に配置される加熱発泡材の他端部は前記扉体を案内するガイドレール部材の下部に接していることを特徴とする請求項２記載のシャッター。
【請求項４】
前記凹部に配置される加熱発泡材は、前記凹部の底壁に配置される底面部と、前記凹部の少なくとも室内側に配置される側面部とを有し、該側面部は前記下枠に対して係止されてなることを特徴とする請求項１〜３のいずれか１項に記載のシャッター。
【請求項５】
前記凹部に配置される加熱発泡材は、前記側面部が金属製のホルダ部材に保持されてなり、該ホルダ部材が前記下枠に対し係合されることを特徴とする請求項４記載のシャッター。
【発明の詳細な説明】
【技術分野】
【０００１】
本発明は、建物開口部に設けられる枠体の上枠に巻回自在な扉体を納めるシャッターボックスを設けたシャッターに関し、特に枠体を構成する下枠端部において耐火性を向上させたシャッターに関する。
【背景技術】
【０００２】
枠体の上枠に巻回自在な扉体を納めるシャッターボックスを設けたシャッターが建物開口部に設けられることがある。シャッターの扉体は、複数のスラットを上下方向に連結してなり、下端部には扉体の幅方向に沿って幅木部材が設けられる。このようなシャッターとして例えば特許文献１に挙げるようなものがある。
【先行技術文献】
【特許文献】
【０００３】
【特許文献１】特開２０１０−１６３７４０号公報
【発明の概要】
【発明が解決しようとする課題】
【０００４】
シャッターにおいては、高い耐火性能を求められる場合がある。火災は、シャッターの室内側で発生する場合と室外側で発生する場合とがあるが、いずれの場合でも、シャッターによる室内外の遮蔽状態が維持されることが求められる。火災時において、扉体が高温に晒されても閉塞状態を維持することが、耐火性能の確保には必要となる。扉体は鋼製であるため、火災発生時にも基本的には閉塞状態を維持することができる。
【０００５】
シャッターを構成する下枠には、扉体に設けられる幅木部材の下端部を納める凹部が形成される。火災時にこの凹部に樹脂部品が脱落して高温となり、発火することを防止するため、幅木部材には凹部に対向するように長手方向に沿って加熱発泡材が設けられる。加熱発泡材は、シート状に形成されてなり、所定温度以上となることで発泡して体積が増加する材料からなり、幅木部材に設けられる加熱発泡材は、火災時には下枠の凹部を塞ぐことができる。
【０００６】
シャッターでは、下枠の両側部にガイドレール部材が配置され、ガイドレール部材に形成された凹状のガイドレールに扉体の両側部が案内される。また、扉体の両側端部には、扉体を全開状態とした際のシャッターボックスへの衝突を緩和するための当たり部材が設けられる。この当たり部材と干渉しないようにするため、下枠の凹部のうち両端部付近には幅木部材が配置されておらず、加熱発泡材も配置することができない。また、扉体の端部より下枠の端部側の領域についても、加熱発泡材は設けられていなかった。したがって、火災時に下枠の見付方向の端部については凹部を塞ぐことができず、この領域における耐火の構造が必要となっていた。
【０００７】
本発明は前記課題を鑑みてなされたものであり、下枠の見付方向の端部において耐火の構造を設けたシャッターを提供することを目的とする。
【課題を解決するための手段】
【０００８】
前記課題を解決するため、請求項１の発明に係るシャッターは、上枠と下枠及び左右の縦枠を枠組みしてなる枠体を有し、前記上枠は扉体を支持すると共に巻き上げて収納自在なシャッターボックスを有するシャッターにおいて、
前記扉体は下端部に幅木部材を有し、前記下枠は前記幅木部材の下端部を収納自在な凹部を長手方向に沿って有し、該凹部の見付方向端部に加熱発泡材が配置されてなることを特徴として構成されている。
【０００９】
請求項１に係る発明によれば、火災発生時には下枠の見付方向端部において加熱発泡材により凹部を充填することができる。
【００１０】
また、請求項２の発明に係るシャッターは、前記幅木部材には長手方向に沿って前記凹部に対向する加熱発泡材が配置され、前記凹部に配置される加熱発泡材の一端部は、少なくとも前記幅木部材に配置される加熱発泡材の端部と対向することを特徴として構成されている。
【００１１】
請求項２に係る発明によれば、火災発生時には幅木部材に設けられる加熱発泡材と凹部に設けられる加熱発泡材とにより、凹部を長手方向に沿って連続的に充填することができる。
【００１２】
さらに、請求項３の発明に係るシャッターは、前記凹部に配置される加熱発泡材の他端部は前記扉体を案内するガイドレール部材の下部に接していることを特徴として構成されている。
【００１３】
請求項３に係る発明によれば、凹部に配置される加熱発泡材により火災発生時には下枠の見付方向端部まで凹部を充填することができる。
【００１４】
また、請求項４の発明に係るシャッターは、前記凹部に配置される加熱発泡材は、前記凹部の底壁に配置される底面部と、前記凹部の少なくとも室内側に配置される側面部とを有し、該側面部は前記下枠に対して係止されてなることを特徴として構成されている。
【００１５】
請求項４に係る発明によれば、加熱発泡材を下枠に対し容易に取付けることができると共に、凹部に対し加熱発泡材を二方向から発泡させることができるので、より高密度に凹部を充填することができる。
【００１６】
さらに、請求項５の発明に係るシャッターは、前記凹部に配置される加熱発泡材は、前記側面部が金属製のホルダ部材に保持されてなり、該ホルダ部材が前記下枠に対し係合されることを特徴として構成されている。
【００１７】
請求項５に係る発明によれば、側面部を下枠に対して確実に係止させることができ、取付後に加熱発泡材の位置がずれることを防止することができる。
【発明の効果】
【００１８】
本発明に係るシャッターによれば、下枠の見付方向端部について、火災発生時に凹部を保護できるので、幅木部材が配置されない領域も含めた下枠全体の耐火性を向上させることができる。
【図面の簡単な説明】
【００１９】
【図１】本実施形態におけるシャッターの縦断面図である。
【図２】本実施形態におけるシャッターの横断面図である。
【図３】図１の下部拡大図である。
【図４】凹部に配置される加熱発泡材の平面図である。
【図５】凹部に配置される加熱発泡材の側面図である。
【図６】図１の下部拡大図であって加熱発泡材の取付時の状態を表した図である。
【図７】下枠の平面図である。
【図８】火災時の状態における図１の下部拡大図である。
【図９】火災時の状態における下枠の平面図である。
【発明を実施するための形態】
【００２０】
本発明の実施形態について図面に沿って詳細に説明する。図１には本実施形態におけるシャッターの縦断面図を、図２には本実施形態におけるシャッターの横断面図を、それぞれ示している。これら各図に示すように、本実施形態のシャッターは、上枠１０と下枠１１及び左右の縦枠１２，１２を方形状に枠組みしてなる枠体１内に内障子４と外障子５を引き違い状に納め、上枠１０にはシャッターボックス２を設けて扉体３を収納可能とすると共に、シャッターボックス２から扉体３を引き出し自在として構成されている。
【００２１】
内障子４と外障子５は、それぞれ上框３０と下框３１及び左右の縦框３２，３２を方形状に框組みしてなる框体６内に、ガラス板からなるパネル体７を納めて構成されている。枠体１を構成する下枠１１には、内障子４を長手方向に案内する内レール部１１ａと、外障子５を長手方向に案内する外レール部１１ｂとが形成されている。また、枠体１を構成する上枠１０には、内障子４の上辺を長手方向に案内する上内レール部１０ａと、外障子５の上辺を長手方向に案内する上外レール部１０ｂとが形成されている。
【００２２】
シャッターボックス２は、上面部４０と下面部４１及び左右の側面部４２，４２を有しており、側面部４２を構成する側面部材１８には巻き取り軸２０が取付けられている。巻き取り軸２０は、多数のスラット２２を上下方向に連結してなる扉体３を巻回可能としており、シャッターボックス２内に扉体３を収納可能となるように構成されている。扉体３は、シャッターボックス２の下部に形成された開口部２１から下方に引き出し自在となっている。なお、図１は扉体３を引き出して全閉とした状態を表している。
【００２３】
シャッターボックス２を有する上枠１０は、上面部４０を構成する上側部材１５と、下面部４１を構成すると共に上内レール部１０ａや上外レール部１０ｂを備えた下側部材１６とを有し、シャッターボックス２はさらに、側面部４２を構成する側面部材１８と、上側部材１５からシャッターボックス２の室外側面を構成するカバー部材１７、及びシャッターボックスの建物躯体側面を構成する背面カバー部材１９を有している。
【００２４】
縦枠１２の室外側には、扉体３の左右端部を上下方向に案内するガイドレール部材１３が設けられている。ガイドレール部材１３は、扉体３の左右端部を飲み込む凹状の案内部１３ａを備えている。
【００２５】
扉体３の下端部には、ガイドレール部材１３間の略全長に渡る幅を有した幅木部材２３が設けられる。幅木部材２３は、面状に形成された室外側壁２３ａの室外側に、逆Ｌ字状に突出する一体的な把手部２３ｂを有している。図２に示されているように、扉体３の下端部左右端部付近には、樹脂製の当たり部材２４，２４が設けられている。幅木部材２３は、両側の当たり部材２４，２４間に設けられており、扉体３の端部よりも中央寄りにその両端部が配置されることとなる。
【００２６】
下枠１１の室外側部には、幅木部材３１の下端部を納めることができる溝状の凹部１１ｃが形成されている。凹部１１ｃは室外側面１１ｅと底面１１ｆ及び室内側面１１ｇを有する。幅木部材２３を枠体１の下端部に配置することで、幅木部材２３の下端部が凹部１１ｃに納められると共に、凹部１１ｃを構成する下枠１１の室外側面１１ｅを、幅木部材２３の把手部２３ｂが跨いだ状態となる。
【００２７】
図３には、図１の下部拡大図を示している。この図では、幅木部材２３を含む扉体３は省略している。下枠１１の室外端部には、前述のように幅木部材２３の下端部を収納可能な溝状の凹部１１ｃが形成されている。凹部１１ｃは下枠１１の長手方向全長に渡って形成されており、そのうち見付方向端部付近にそれぞれ加熱発泡材２５が配置される。加熱発泡材２５は、凹部１１ｃの底面１１ｆに配置される底面部２５ａと、凹部１１ｃの室内側面１１ｇに配置される側面部２５ｂとを有しており、凹部１１ｃの内部に対して二方向から面している。
【００２８】
図４には凹部１１ｃに配置される加熱発泡材２５の平面図を、図５には凹部１１ｃに配置される加熱発泡材２５の側面図を、それぞれ示している。加熱発泡材２５は、火災時の高温に晒されると発泡して面方向に膨張し、空間を塞ぐことのできる材料からなり、シート状に形成されている。加熱発泡材２５は、前述のように底面部２５ａと側面部２５ｂとを有し、側面部２５ｂは底面部２５ａよりも下枠１１の長手方向に長くなるように形成されている。底面部２５ａのうち一部の領域は、加熱発泡材が２枚重ねとされた重複部２５ｃとなっており、他の部分よりも厚みが大きくなっている。また、側面部２５ｂには、一面側を覆うように金属製のホルダ部材２６が取付けられていて、加熱発泡材２５を下枠１１に対して固定する際の固定強度を確保できるようにしている。
【００２９】
図４及び図５（ａ）は加熱発泡材２５を平面状にした状態を表しており、図５（ｂ）は加熱発泡材２５を折って下枠１１に対して取付可能とした状態を表している。このように、加熱発泡材２５は平面状に形成されているが、側面部２５ｂを底面部２５ａから立ち上げるように折ることで、凹部１１ｃの形状に適合させることができる。
【００３０】
図６には、図１の下部拡大図であって加熱発泡材２５の取付時の状態を表した図を示している。加熱発泡材２５は、シャッターの施工時において、枠体１が建物躯体に対して固定された後に取付けられる。加熱発泡材２５は図５（ａ）のような状態で梱包されているので、これを図５（ｂ）のように折って、図６に示すように側面部２５ｂの先端部を、凹部１１ｃの室内側面１１ｇに形成されていて下方に開口するフック状の係止突部１１ｄに対して挿入して係止させ、その後、底面部２５ａの室外側端部を凹部１１ｃの室外側面１１ｅに対して圧接させることで、加熱発泡材２５を下枠１１に固定することができる。
【００３１】
図７には、下枠１１の平面図を示している。図７では、ガイドレール部材１３や扉体３は破線にて表している。図１に示されているように、扉体３に設けられる幅木部材２３には、室内側に面する側に長手方向に沿って加熱発泡材２７が設けられている。加熱発泡材２７は、扉体３が全閉状態において凹部１１ｃの室内側面１１ｇに対向しているので、火災発生時には発泡して凹部１１ｃを塞ぐことができる。しかし、図７に示すように、扉体３の端部付近には樹脂製の当たり部材２４が設けられており、この領域には加熱発泡材が設けられていない。
【００３２】
下枠１１の凹部１１ｃに設けられる加熱発泡材２５は、底面部２５ａが、扉体３に設けられる当たり部材２４よりも下枠１１の見付方向端部側に配置される。底面部２５ａのうち重複部２５ｃは、ガイドレール部材１３の下部と接触している。また、加熱発泡材２５の側面部２５ｂは、底面部２５ａよりも下枠１１の見付方向中央側に伸びており、当たり部材２４と対向するとともに、その先端部は幅木部材２３の見付方向端部位置に配置され、幅木部材２３に設けられる加熱発泡材２７の端部と対向する。なお、加熱発泡材２５の側面部２５ｂの先端部は、幅木部材２３に設けられる加熱発泡材２７の端部近傍まで伸びていればよく、必ずしも幅木部材２３に対向していなくてもよい。これにより、幅木部材２３において加熱発泡材２７が設けられていない端部付近の当たり部材２４が設けられている領域については、加熱発泡材２５の側面部２５ｂが配置される。なお、図７では下枠１１の一方の端部について示しているが、下枠１１の他方の端部についても同様に構成される。
【００３３】
図８には、火災時の状態における図１の下部拡大図を示している。火災が発生してシャッターが高温に晒されると、凹部１１ｃに配置された加熱発泡材２５は発泡して体積が膨張し、凹部１１ｃの見付方向端部の空間をそれぞれ充填すると共に、下枠１１と扉体３との間の隙間も閉塞した状態とする。加熱発泡材２５は底面部２５ａと側面部２５ｂとを有しており、その両方を有する下枠１１の端部付近の領域にあっては、二方向から発泡するので、より高密度に凹部１１ｃの空間を充填することができる。側面部２５ｂのみを有する下枠１１の中央側の領域においても、側面部２５ｂが凹部１１ｃの内部に面していることにより、発泡した加熱発泡材２５が凹部１１ｃを充填することができる。
【００３４】
図９には、火災時の状態における下枠１１の平面図を示している。この図に示すように、幅木部材２３には、端部付近に設けられる当たり部材２４の領域を除き、長手方向に沿って凹部１１ｃに対向するように加熱発泡材２７が設けられており、火災時にはこれが発泡することで、凹部１１ｃ内の空間が充填される。凹部１１ｃのうち当たり部材２４よりも下枠１１の端部側の領域については、幅木部材２３の加熱発泡材２７が届かないが、これは凹部１１ｃに設けられた加熱発泡材２５によって充填される。凹部１１ｃに設けられた加熱発泡材２５の下枠１１中央側端部は、幅木部材２３に配置される加熱発泡材２７の端部近傍まで伸びているので、加熱発泡材２５，２７による凹部１１ｃの充填を長手方向に沿って連続的なものとすることができる。
【００３５】
このように、下枠１１の凹部１１ｃ端部に加熱発泡材２５を配置したことにより、凹部１１ｃを幅木部材２３の領域のみならず端部付近まで充填することができるので、火災発生時の下枠１１における隙間の発生や、凹部１１ｃに樹脂材が落下してくることによる発火を抑えることができる。特に、加熱発泡材２５の一端部が、幅木部材２３に設けられる加熱発泡材２７の端部近傍に配置されることで、凹部１１ｃを長手方向に沿って連続的に充填することができ、耐火性をより向上させることができる。
【００３６】
また、加熱発泡材２５は底面部２５ａと側面部２５ｂからなり、側面部２５ｂには金属製のホルダ部材２６が取付けられることで、加熱発泡材２５を下枠１１に対し容易に係止固定することができ、施工現場での作業性を良好にすることができる。
【００３７】
以上、本発明の実施形態について説明したが、本発明の適用は本実施形態には限られず、その技術的思想の範囲内において様々に適用されうるものである。
【符号の説明】
【００３８】
１    枠体
２    シャッターボックス
３    扉体
４    内障子
５    外障子
６    框体
７    パネル体
１０    上枠
１１    下枠
１１ｃ  凹部
１１ｄ  係止突部
１２    縦枠
１３    ガイドレール部材
２０    巻き取り軸
２１    開口部
２２    スラット
２３    幅木部材
２４    当たり部材
２５    加熱発泡材
２５ａ  底面部
２５ｂ  側面部
２６    ホルダ部材
２７    加熱発泡材
【図１】
2015068022.tif 000003
【図２】
2015068022.tif 000004
【図３】
2015068022.tif 000005
【図４】
2015068022.tif 000006
【図５】
2015068022.tif 000007
【図６】
2015068022.tif 000008
【図７】
2015068022.tif 000009
【図８】
2015068022.tif 000010
【図９】
2015068022.tif 000011